(57)【要約】      （修正有）【課題】繊維層および繊維層の２つの表面に固着する２つの生分解性材料層を備える食物容器の薄層構造を提供する。【解決手段】薄層構造は、第１表面および第２表面を有する繊維層と、繊維層の第１表面に固着する第１生分解性材料層と、繊維層の第２表面に固着する第２生分解性材料層とを備え、生分解性材料層は、生分解性ポリマおよび強靱性調整器を含む生分解性材料前駆体調合物をコーティングすることによって形成され、強靱性調整器は、生体分子および生分解性ポリマ前駆体、水、またはその混合物を含み、強靱性調整器は、熱処理される。【選択図】図１
0003143161.tif 000002
【実用新案登録請求の範囲】
【請求項１】
食物容器を作製するための薄層構造であって、
第１表面および第２表面を有する繊維層と、
前記繊維層の前記第１表面に固着する第１生分解性材料層と、
前記繊維層の前記第２表面に固着する第２生分解性材料層とを備える薄層構造。
【請求項２】
前記繊維層の材料は紙繊維層である請求項１に記載の薄層構造。
【請求項３】
前記繊維層の材料は植物繊維層である請求項１に記載の薄層構造。
【請求項４】
前記繊維層の材料は木材繊維層である請求項１に記載の薄層構造。
【請求項５】
前記第１生分解性材料層に固着する第１紙層と、
前記第２生分解性材料層に固着する第２紙層とをさらに備える請求項１に記載の薄層構造。
【考案の詳細な説明】
【技術分野】
【０００１】
本考案は、容器の薄層構造に関し、特に、高温とマイクロ波について耐性を持つ食物容器の薄層構造に関する。
【背景技術】
【０００２】
ディナープレートおよびランチボックスは、安価であるが、使用後に処理されるのが難しいポリスチレンで従来は作られた。たとえば、ポリスチレンは、埋め立てごみ処理法の場合、分解不可能であり、燃焼下で有毒ガスを発生する。したがって、ポリスチレンは、食物容器における使用について禁止されてきた。
【０００３】
市場、特に、食物および飲料サービス用のテークアウトパッケージにおける現在の食物容器は、紙製品と木材製品に分けられることができる。紙製品は、薄いとき、容易に変形されるが、肉厚の紙製品は、購入コストを増やすことになる。木材製品は、容易に破壊されることができ、また、紙製品に比べてよりよい視覚効果がある。しかし、米は、木材製品の木製表面に接触すると、その表面に容易に付着し、食物の浪費を引き起こすことになる。さらに、木材製品は、壊れやすいため、製造することが難しく、また、湿気を帯びやすく、また、かび易い性質のために、製品の保管が問題となる。
【考案の開示】
【考案が解決しようとする課題】
【０００４】
したがって、一部の技術は、木製容器の表面にポリマ皮膜を塗布して、食物を木製表面から分離し、木製容器が分解するのを難しくさせようと試みてきた。しかし、木製容器上のポリマ皮膜は、湿気に暴露された後またはマイクロ波処理された後に、木材プレートから分離し、食卓用器具によって切り裂かれる場合があり、さらなる改良が必要とされる。
【課題を解決するための手段】
【０００５】
当技術分野の問題を解決するために、本考案は、食物容器を作製する薄層構造を提供し、薄層構造は、第１表面および第２表面を有する繊維層と、繊維層の第１表面に固着する第１生分解性材料層と、繊維層の第２表面に固着する第２生分解性材料層とを備え、生分解性材料層は、生分解性ポリマおよび強靱性調整器を含む生分解性材料前駆体調合物をコーティングすることによって形成され、強靱性調整器は、生体分子および生分解性ポリマ前駆体、水、またはその混合物を含み、強靱性調整器は、熱処理される。
【０００６】
一部の実施形態では、本考案の薄層構造は、さらに、第１生分解性材料層に固着する第１紙層と、第２生分解性材料層に固着する第２紙層とをさらに備える。
【考案を実施するための最良の形態】
【０００７】
本考案の特徴および利点をより具体的に述べるために、本考案の食物容器を作製する薄層構造１０が、図１に示され、薄層構造１０は、第１表面および第２表面を有する繊維層１と、繊維層の第１表面に固着する第１生分解性材料層２と、繊維層の第２表面に固着する第２生分解性材料層２とを備え、生分解性材料層は、生分解性ポリマおよび強靱性調整器を含む生分解性材料前駆体調合物をコーティングすることによって形成され、強靱性調整器は、生体分子および生分解性ポリマ前駆体、水、またはその混合物を含み、強靱性調整器は、熱処理される。
【０００８】
本考案の繊維層は、繊維で微細構造的に構成され、繊維層の材料は生分解性である。したがって、得られる食物容器は、使用後に、環境危険要因が全く無い状態で、埋め立てご
み処理法または燃焼によって処理されることができる。本考案の繊維層を形成するのに適した材料は、紙繊維、植物繊維、または木材繊維を含む。
【０００９】
本考案の生分解性材料層は、生分解性ポリマおよび強靱性調整器を含む組成物から構成される。強靱性調整器の使用は、生分解性ポリマをより延性のあるものにさせ、生分解性ポリマは、繊維層に接触すると、繊維層内により深く貫入することができる。したがって、食物容器の層は、熱またはマイクロ波の下で分離しない、または、剥離しないであろう。本考案の生分解性ポリマ用の適した材料は、ポリグリコール酸、ポリ乳酸、ポリカプロラクトン、ポリヒドロキシブチレート、ポリヒドロキシブチル酸、ポリ酢酸ビニル、ポリブチレンサクシネート、ポリビニルアルコール、ポリ−ｐ−ジオキサノン、または、その共重合体を含む。
【００１０】
本考案の強靱性調整器は、生体分子および生分解性ポリマ前駆体、水、またはその混合物を含む。生体分子は、野菜ゼラチン、寒天、動物ゼラチン、チトサン、コラーゲン、ヒアルロン酸、またはその混合物を含む。生分解性ポリマ前駆体は、使用される生分解性ポリマに限定されない。すなわち、前駆体は、実施形態で使用される生分解性ポリマ前駆体と同じか、または、異なる生分解性ポリマを形成する他の前駆体であることができる。
【００１１】
図２に示すように、一部の実施形態では、本考案の薄層構造２０は、生分解性材料層２の外側の紙層３と組合されることができる。本考案の生分解性材料層２の接着特性は、繊維層１か紙層３のいずれかと組合された生分解性ポリマだけを使用した材料層の接着特性より優れ、生分解性材料層２は、生分解性ポリマだけを使用した場合に比べて、繊維層１と紙層３内により深く貫入することができる。
【００１２】
本考案の薄層構造の層は、限定はしないが、圧延など、平坦にされ、密閉包装されるために、当技術分野の方法によって圧縮されることができる。
本考案の薄層構造でできた食物容器は、高温とマイクロ波について優れた耐性を有し、層は、密閉包装されて、食卓用器具でこすった場合に剥離することを防止する。さらに、全体構造は、２次環境汚染の無い状態で、使用後に埋め立てごみ処理法によって分解することができる生分解性材料でできている。
【００１３】
上記説明から、当業者は、本考案の本質的な特徴を容易に確認することができ、本考案の精神および範囲から逸脱することなく、本考案を種々の使用および条件に適合させるために、本考案についての種々の変更および修正を行うことができる。したがって、他の実施形態もまた、添付実用新案登録請求の範囲に記載してある。
【図面の簡単な説明】
【００１４】
【図１】本考案の薄層構造を示す図。
【図２】本考案の別の薄層構造を示す図。
【符号の説明】
【００１５】
１…繊維層、２…生分解性材料層、３…紙層。
【図１】
0003143161.tif 000003
【図２】
0003143161.tif 000004